(57)【要約】      （修正有）【課題】剥離剤の塗布工程をなくした簡単な工程で製造できる両面ラベルを提供する。【解決手段】第１のラベル用紙１ａと第２のラベル用紙１ｂのそれぞれの裏面をラベル用紙に良好に付着する粘着剤３にて貼付し、この粘着剤の部分で引き剥がすことにより、両ラベル用紙に粘着剤が付着した状態となるようにした。【選択図】図２
2006071700.tif 000002
【特許請求の範囲】
【請求項１】
第１のラベル用紙と第２のラベル用紙のそれぞれの裏面をラベル用紙に良好に付着する粘着剤にて貼付し、この粘着剤の部分で引き剥がすことにより、両ラベル用紙に粘着剤が付着した状態となるようにしたことを特徴とする両面ラベル。
【発明の詳細な説明】
【技術分野】
【０００１】
本発明は、表面に必要な印刷を施した２枚のラベルのそれぞれの裏面を貼着し、使用時にはこの貼着面を剥離して用いるようにした両面ラベルに関するものである。
【背景技術】
【０００２】
この種の従来の両面ラベルは、給紙ロールから供給されるラベル用紙の裏面に縞状剥離剤を、空白部と交互に塗布すると共に、用紙表面に印刷を行い、ついでこのラベル用紙を長さ方向に沿って左右に切断すると共に、その一方を表裏反転してから、その一方の用紙の裏面の剥離剤塗布部と空白部に粘着剤を縞状に塗布し、その後両用紙のそれぞれの裏面を、一方の用紙の縞状剥離剤の表面に塗布された縞状粘着剤が、他方の用紙の空白部に対向させて両用紙を貼り付けるようにし、あるいはラベル用紙の裏面に縞状剥離剤を、空白部と交互に塗布すると共に、表面に印刷を行った後に、このラベル用紙の長さ方向に沿った片側の裏面の剥離剤と空白部に接着剤を縞状に塗布してから、このラベル用紙を長さ方向に沿った線上で二つ折りに折り曲げ、上記用紙の片側部分の縞状剥離剤の上面に塗布された縞状粘着剤が他側部分の空白部に対向するようにして貼り合わせるようにしたものが知られている（例えば、特許文献１参照）。
【０００３】
【特許文献１】特開平９−２６３７３７号公報
【発明の開示】
【発明が解決しようとする課題】
【０００４】
上記従来の両面ラベルでは、これを製造するのに粘着剤塗布のほかに、剥離剤を塗布する工程を必要として、加工工程が多いという問題があった。
【課題を解決するための手段】
【０００５】
本発明は上記のことに鑑みなされたもので、剥離剤の塗布工程をなくして簡単な工程で製造できるようにした両面ラベルを提供しようとするもので、その構成は、第１のラベル用紙と第２のラベル用紙のそれぞれの裏面をラベル用紙に良好に付着する粘着剤にて貼付し、この粘着剤の部分で引き剥がすことにより、両ラベル用紙に粘着剤が付着した状態となるようにした。
【発明の効果】
【０００６】
本発明によれば、第１・第２のラベル用紙を、これらに良好に付着する粘着剤にて貼着したことにより、両ラベル用紙の相互を剥がしたときに、この各ラベル用紙の裏面に粘着剤が十分付着した状態で剥離することができ、従来のように剥離剤を用いることなく構成でき、両面ラベルを簡単な工程で安価に製造することができる。
【発明を実施するための最良の形態】
【０００７】
図１は本発明に係る両面ラベル１を示すもので、それぞれの表面に所定の印刷２が施された２枚の、すなわち第１・第２のラベル用紙１ａ，１ｂの裏面同士が一層の粘着剤３にて貼り合わされている。このときの粘着剤３はラベル用紙１ａ，１ｂに良好に付着し、経時的に粘着性を失わず充分な接着性を有すると共に、粘着剤自体が硬化しない、例えば、特開２０００−１１９６１９号公報にて示されるような公知のアクリル系ホットメルト粘着材が用いられる。
【０００８】
上記構成の両面ラベル１は図２に示すように、両ラベル１ａ，１ｂを粘着剤３の部分で引き剥がして一枚ずつのラベルとしてこれを、粘着剤３の塗布面を被貼着面に向けて貼着する。
【０００９】
このときにおいて、使用される粘着剤３は、これ自身の接着性により第１・第２の各ラベル１ａ，１ｂに強固に付着されると共に、２枚のラベル１ａ，１ｂの引き剥がしにより、図２に示すように、これの厚み方向の略中間部において引き裂かれるようにその組成が調整されている。
【００１０】
従って、２枚の引き剥がされた各ラベル１ａ，１ｂの裏面には両ラベル１ａ，１ｂ間に積層塗布された厚さの略１／２の粘着剤３が付着されることになり、この裏面に付着されている粘着剤３にて各ラベル１ａ，１ｂは被接着面に接着できる。
【００１１】
図３は上記両面ラベル１の製造方法を示すもので、表面に所定の印刷が施されてロール状に巻かれた第１のラベル用紙４ａを第１の給紙部５ａから給紙し、この第１のラベル用紙４の裏面に粘着剤塗工機６にて粘着剤３を塗工する。その後、この塗工部の下流側で、第２の給紙部５ｂから第２のラベル用紙４ｂを、これの裏面が上記第１のラベル用紙４ａの裏面の粘着剤３上に重なるように給紙し、プレスロール７にて圧着する。その後カット装置８にて所定の大きさにカットし、一層の粘着剤３にて粘着したラベル１ａ，１ｂとする。
【００１２】
図４、図５は本発明の他の実施の形態を示すもので、図４に示すように両面ラベル１の第１，第２のラベル１ａ，１ｂは、これの間に２種類の粘着剤３ａ，３ｂを層状に介在させて接着されている。
【００１３】
そしてこの両面ラベル１の使用に際して両ラベル１ａ，１ｂを引き剥がすと、図５に示すように２種類の粘着剤３ａ，３ｂの境界部にて剥離され、一方のラベル１ａに一方の粘着剤３ａが、また他方のラベル１ｂに他方の粘着剤３ｂが付着した状態で両ラベル１ａ，１ｂは分離され、それぞれに付着している粘着剤３ａ，３ｂにて被接着材に接着する。
【００１４】
図６、図７、図８は図５に示した粘着剤を２層にした両面ラベルを製造する方法を示すもので、図６に示す製造方法は、表面に所定の印刷が施されてロール状に巻かれた第１のラベル用紙４ａを第１の給紙部５ａから給紙し、この第１のラベル用紙４ａの裏面に第１の粘着剤塗工機６ａにて第１の粘着剤３ａを塗工する。
【００１５】
そしてこれと共に、上記第１のラベル用紙４ａの走行方向下流側に位置する第２の給紙部５ｂから同じく表面に所定の印刷が施されてロール状に巻かれた第２のラベル用紙４ｂを給紙し、この第２のラベル用紙４ｂの裏面に第２の粘着剤塗工機６ｂにて第２の粘着剤３ｂを塗工する。
【００１６】
上記のようにしてそれぞれの裏面に粘着剤３ａ，３ｂを塗工した第１，第２のラベル用紙４ａ，４ｂを、それぞれの裏面である粘着剤塗工面を対向させて合流させてプレスロール７にて圧着して巻き取り、ロール状の両面ラベルとする。このとき、必要に応じて各粘着剤塗工機６ａ，６ｂの下流側に、これらで塗工された粘着剤を乾燥する乾燥機９ａ，９ｂを設ける。
【００１７】
図７に示す製造方法は、表面に所定の印刷が施されてロール状に巻かれた第１のラベル用紙４ａを第１の給紙部５ａから給紙し、この第１のラベル紙４ａの裏面に２層供給型の粘着剤塗工機１０にて、図８に示すように第１，第２の粘着剤３ａ，３ｂを同時に塗工する。
【００１８】
その後、第２の給紙部５ｂから第２のラベル用紙４ｂをこれの裏面が上記第１のラベル用紙４ａの裏面に重なるように給紙し、プレスロール７にて圧着し、その後ロール状に巻き取る。
【００１９】
上記粘着剤塗工機１０は一般的なダイコーダが用いられ、複数のダイ１０ａ，１０ｂ，１０ｃの間に設けられた２つの通路より別々に第１・第２の粘着剤３ａ，３ｂを吐出し、それぞれの通路の先端から第１のラベル用紙４ａの裏面に層状に合流して塗工されるようになっている。
【図面の簡単な説明】
【００２０】
【図１】本発明に係る両面ラベルの一例を示す斜視図である。
【図２】図１に示した両面ラベルの剥がし状態を示す説明図である。
【図３】図１に示した両面ラベルの製造方法を示す説明図である。
【図４】本発明に係る両面ラベルの他例を示す断面図である。
【図５】図４に示した両面ラベルの剥がし状態を示す断面図である。
【図６】図４に示した両面ラベルの製造方法を示す説明図である。
【図７】図４に示した両面ラベルの他の製造方法を示す説明図である。
【図８】２層供給型の粘着剤塗工機の一例を示す断面図である。
【符号の説明】
【００２１】
１…両面ラベル、１ａ，１ｂ…ラベル、２…印刷、３，３ａ，３ｂ…粘着剤、４ａ，４ｂ…ラベル用紙、５ａ，５ｂ…給紙部、６，６ａ，１０…粘着剤塗工機、７…圧着ロール、８…カット装置、９ａ，９ｂ…乾燥機。
【図１】
2006071700.tif 000003
【図２】
2006071700.tif 000004
【図３】
2006071700.tif 000005
【図４】
2006071700.tif 000006
【図５】
2006071700.tif 000007
【図６】
2006071700.tif 000008
【図７】
2006071700.tif 000009
【図８】
2006071700.tif 000010